(57)【要約】【課題】テストパターンを印字出力したり、予め作成して常備することを不要とし、色及び階調の補正にかかる処理の効率化を図る。【解決手段】テストパターンが有する色及び階調に関する特性に対応して予め設定されたテスト用の動作条件に従って白基準板１９を読み取る疑似読取テストにより、実際のテストパターンの読み取りに相当する読取データを画処理部２８で生成させ、この疑似読取テストで取得した読取データに基づいて通常読取時の動作条件を補正する。特に各原色ごとの光源１ａ〜１ｃを備えた構成において、テストパターンが有する色及び階調に関する特性に対応したテスト用の動作条件で各原色ごとの光源を制御しながら疑似読取テストを行う。【選択図】    図１
2004349794.tif 000002
【特許請求の範囲】
【請求項１】
読取面を照明する光源と、この光源を制御する光源制御手段と、読取面の画情報を読み取るセンサと、このセンサの出力信号を処理して画データを生成する画処理手段と、テストパターンが有する画像特性に対応して予め設定されたテスト用の動作条件に従って白基準板を読み取る疑似読取テストにより、実際のテストパターンの読み取りに相当する読取データを前記画処理手段で生成させ、ここで取得した読取データに基づいて通常読取時の動作条件を補正設定する補正手段とを備えたことを特徴とする読取装置。
【請求項２】
前記補正手段は、テストパターンに対応する画データからなる基準データを保持する基準データ保持手段と、この基準データ保持手段に予め保持された基準データと前記疑似読取テストで取得した読取データとを比較して補正に要する補正データを生成する補正データ生成手段とを備えたことを特徴とする請求項１に記載の読取装置。
【請求項３】
前記基準データ保持手段は、適切な画像特性の画データを取得可能に調整された状態で前記疑似読取テストを実行して取得した読取データを前記基準データとして保持することを特徴とする請求項２に記載の読取装置。
【請求項４】
前記補正手段は、前記疑似読取テストで取得した読取データに基づいて前記画処理手段の処理条件を補正することを特徴とする請求項１に記載の読取装置。
【請求項５】
前記補正手段は、前記疑似読取テストで取得した読取データに基づいて前記光源制御手段の制御条件を補正することを特徴とする請求項１に記載の読取装置。
【請求項６】
前記光源は、各原色ごとの光源により構成され、前記光源制御手段は、前記疑似読取テストにおいて、テストパターンが有する画像特性に対応したテスト用の動作条件で前記各原色ごとの光源を制御することを特徴とする請求項１に記載の読取装置。
【請求項７】
前記光源制御手段は、前記疑似読取テストにおいて、前記光源の点灯時間による光量制御を行うことを特徴とする請求項６に記載の読取装置。
【請求項８】
前記光源制御手段は、前記疑似読取テストにおいて、前記光源の印加電圧による光量制御を行うことを特徴とする請求項６に記載の読取装置。
【請求項９】
前記光源の印加電圧と光量との相関関係に関する情報を格納する記憶手段を有し、前記光源制御手段は、前記記憶手段の情報を参照して光量制御を行うことを特徴とする請求項８に記載の読取装置。
【請求項１０】
前記光源制御手段は、前記疑似読取テストにおいて、前記各原色ごとの光源の点灯・消灯を制御し、これにより前記画処理手段がテストパターンの基準色に対応した色調の有彩色読取データを生成することを特徴とする請求項６に記載の読取装置。
【請求項１１】
前記光源制御手段は、前記疑似読取テストにおいて、前記各原色ごとの光源の光量を相互の均一性を保ちながら増減制御し、これにより前記画処理手段がテストパターンの基準階調に対応した階調の無彩色読取データを生成することを特徴とする請求項６に記載の読取装置。
【請求項１２】
前記光源は、白色光源により構成され、前記センサは、各原色ごとのセンサにより構成され、前記画処理手段は、前記疑似読取テストにおいて、テストパターンが有する画像特性に対応したテスト用の動作条件で前記各原色ごとのセンサの出力信号を処理することを特徴とする請求項１に記載の読取装置。
【請求項１３】
前記画処理手段は、前記疑似読取テストにおいて、前記各原色ごとのセンサの出力信号を色別に調整することにより、テストパターンの基準色に対応した色調の有彩色読取データを生成することを特徴とする請求項１２に記載の読取装置。
【請求項１４】
前記画処理手段は、前記疑似読取テストにおいて、前記各原色ごとのセンサの出力信号相互の均一性を保ちながらその調整量を増減することにより、テストパターンの基準階調に対応した階調の無彩色読取データを生成することを特徴とする請求項１２に記載の読取装置。
【請求項１５】
読取面を照明する光源と、この光源を制御する光源制御手段と、読取面の画情報を読み取るセンサと、このセンサの出力信号を処理して画データを生成する画処理手段と、テストパターンが有する画像特性に対応して予め設定されたテスト用の動作条件に従って白基準板を読み取る疑似読取テストにより、実際のテストパターンの読み取りに相当する読取データを前記画処理手段で生成させ、ここで取得した読取データに基づいて通常読取時の動作条件を補正設定する補正手段とを備えた読取装置、並びに通常読取時に前記画処理手段で生成した画データに基づいて前記読取面の画情報を印字出力すると共に、必要に応じて前記疑似読取テスト時に取得した読取データに基づいてテストパターンを印字出力する印字手段を有することを特徴とする電子黒板。
【請求項１６】
前記補正手段は、テストパターンに対応する画データからなる基準データを保持する基準データ保持手段と、この基準データ保持手段に予め保持された基準データと前記疑似読取テストで取得した読取データとを比較して補正に要する補正データを生成する補正データ生成手段とを備えたことを特徴とする請求項１５に記載の電子黒板。
【請求項１７】
前記基準データ保持手段は、適切な画像特性の画データを取得可能に調整された状態で前記疑似読取テストを実行して取得した読取データを前記基準データとして保持することを特徴とする請求項１６に記載の電子黒板。
【請求項１８】
前記補正手段は、前記疑似読取テストで取得した読取データに基づいて前記画処理手段の処理条件を補正することを特徴とする請求項１５に記載の電子黒板。
【請求項１９】
前記補正手段は、前記疑似読取テストで取得した読取データに基づいて前記光源制御手段の制御条件を補正することを特徴とする請求項１５に記載の電子黒板。
【請求項２０】
前記光源は、各原色ごとの光源により構成され、前記光源制御手段は、前記疑似読取テストにおいて、テストパターンが有する画像特性に対応したテスト用の動作条件で前記各原色ごとの光源を制御することを特徴とする請求項１５に記載の電子黒板。
【請求項２１】
前記光源制御手段は、前記疑似読取テストにおいて、前記光源の点灯時間による光量制御を行うことを特徴とする請求項２０に記載の電子黒板。
【請求項２２】
前記光源制御手段は、前記疑似読取テストにおいて、前記光源の印加電圧による光量制御を行うことを特徴とする請求項２０に記載の電子黒板。
【請求項２３】
前記光源の印加電圧と光量との相関関係に関する情報を格納する記憶手段を有し、前記光源制御手段は、前記記憶手段の情報を参照して光量制御を行うことを特徴とする請求項２２に記載の電子黒板。
【請求項２４】
前記光源制御手段は、前記疑似読取テストにおいて、前記各原色ごとの光源の点灯・消灯を制御し、これにより前記画処理手段がテストパターンの基準色に対応した色調の有彩色読取データを生成することを特徴とする請求項２０に記載の電子黒板。
【請求項２５】
前記光源制御手段は、前記疑似読取テストにおいて、前記各原色ごとの光源の光量を相互の均一性を保ちながら増減制御し、これにより前記画処理手段がテストパターンの基準階調に対応した階調の無彩色読取データを生成することを特徴とする請求項２０に記載の電子黒板。
【請求項２６】
前記光源は、白色光源により構成され、前記センサは、各原色ごとのセンサにより構成され、前記画処理手段は、前記疑似読取テストにおいて、テストパターンが有する画像特性に対応したテスト用の動作条件で前記各原色ごとのセンサの出力信号を処理することを特徴とする請求項１５に記載の電子黒板。
【請求項２７】
前記画処理手段は、前記疑似読取テストにおいて、前記各原色ごとのセンサの出力信号を色別に調整することにより、テストパターンの基準色に対応した色調の有彩色読取データを生成することを特徴とする請求項２６に記載の電子黒板。
【請求項２８】
前記画処理手段は、前記疑似読取テストにおいて、前記各原色ごとのセンサの出力信号相互の均一性を保ちながらその調整量を増減することにより、テストパターンの基準階調に対応した階調の無彩色読取データを生成することを特徴とする請求項２６に記載の電子黒板。
【請求項２９】
読取面を照明する各原色ごとの光源と、この光源を制御する光源制御手段と、読取面の画情報を読み取るセンサと、このセンサの出力信号を処理して画データを生成する画処理手段とを備えた読取装置において、
テストパターンが有する画像特性に対応したテスト用の動作条件で前記各原色ごとの光源を制御するように前記光源制御手段を設定した上で、白基準板を読み取る疑似読取テストを実行して、実際のテストパターンの読み取りに相当する読取データを前記画処理手段で生成させ、これにより取得した読取データに基づいて補正を行うことを特徴とする補正方法。
【請求項３０】
読取面を照明する光源と、この光源を制御する光源制御手段と、読取面の画情報を読み取る各原色ごとのセンサと、このセンサの出力信号を処理して画データを生成する画処理手段とを備えた読取装置において、
テストパターンが有する画像特性に対応したテスト用の動作条件で前記各原色ごとのセンサの出力信号を処理するように前記画処理手段を設定した上で、白基準板を読み取る疑似読取テストを実行して、実際のテストパターンの読み取りに相当する読取データを前記画処理手段で生成させ、これにより取得した読取データに基づいて補正を行うことを特徴とする補正方法。
【発明の詳細な説明】
【０００１】
【発明の属する技術分野】
本発明は、読取面の画情報をセンサで読み取って画データを生成する読取装置、及びこれを備えた電子黒板、並びに読取装置で安定した色及び階調の再現を可能にする補正方法に関するものである。
【０００２】
【従来の技術】
従来から、出力画像の階調補正を行うため、所定の基準階調によるテストパターンをスキャナ部で読み取って得られた読取データに基づいてプリンタ部でテストパターンを記録紙などに印字出力し、これにより得られたテストパターンシートを読み取って得られた読取データを元の読取データとを比較することで、適正な階調補正値を求める構成のものが知られている。（特許文献１参照。）また、出力画像の色調補正を行うため、所定の基準色によるテストパターンを用いて前記と同様の手順で適正な色補正値を求める構成のものが知られている（特許文献２参照。）。
【０００３】
【特許文献１】
特開平７−２７３９９７号公報
【特許文献２】
特開平７−２７４０１６号公報
【０００４】
【発明が解決しようとする課題】
しかしながら、上記従来の技術によれば、テストパターンの印字出力並びにこれにより得られたテストパターンシートの読み取りの操作が必要になり、補正に手間がかかるという問題があった。
【０００５】
また、マーカーによる書き込みなどによるボード上の画像を読み取る電子黒板では、プリンタの出力サイズに対してボード上の読取面がはるかに大きいため、補正の際にセンサの読取幅に対応した適切な大きさのテストパターンシートを作成することが困難であり、このため、予めテストパターンシートを作成して常備しておく必要があり、不便なものであった。
【０００６】
本発明は、上記したような課題に鑑みなされたものであり、テストパターンを印字出力したり、予め作成して常備することを不要とし、色及び階調の補正にかかる処理の効率化を図ることができる読取装置及びこれを備えた電子黒板並びに補正方法を提供することを目的とする。
【０００７】
【課題を解決するための手段】
このような目的を果たすために、本発明においては、請求項１及び請求項１５示すとおり、読取面を照明する光源と、この光源を制御する光源制御手段と、読取面の画情報を読み取るセンサと、このセンサの出力信号を処理して画データを生成する画処理手段と、テストパターンが有する画像特性に対応して予め設定されたテスト用の動作条件に従って白基準板を読み取る疑似読取テストにより、実際のテストパターンの読み取りに相当する読取データを前記画処理手段で生成させ、ここで取得した読取データに基づいて通常読取時の動作条件を補正設定する補正手段とを備えたものとした。
【０００８】
これによると、読取データに対する色及び階調の補正において、実際のテストパターンの読み取りが不要になるため、テストパターンを印字出力して読み取りを行う手間を省くことができ、またプリンタの出力サイズの制約から予め作成したテストパターンシートを常備しておく必要もなくなるため、色及び階調の補正にかかる処理の効率化を図ることができる。
【０００９】
この場合、疑似読取テストで取得した疑似読取データに基づいてテストパターンを一旦印字出力した上で、その出力画像の読み取りにより取得した実読取データに基づいて補正を行う構成とすることも可能であり、このようにするとプリンタによる記録過程を含めた画質補正が可能になる。
【００１０】
さらに請求項２及び請求項１６に示すとおり、前記補正手段は、テストパターンに対応する画データからなる基準データを保持する基準データ保持手段と、この基準データ保持手段に予め保持された基準データと前記疑似読取テストで取得した読取データとを比較して補正に要する補正データを生成する補正データ生成手段とを備えた構成とすることができる。これによると、基準データを基準にして精度の高い補正を行うことができる。
【００１１】
この場合、基準データ保持手段の基準データに基づいて、疑似読取テストでの動作条件の設定に関するテストデータを生成するテストデータ生成手段を備えた構成とすると良い。
【００１２】
さらに請求項３及び請求項１７に示すとおり、前記基準データ保持手段は、適切な画像特性の画データを取得可能に調整された状態で前記疑似読取テストを実行して取得した読取データを前記基準データとして保持する構成とすることができる。これによると、工場調整や保守の際に調整された最適な状態を目標にして補正が行われるため、高品質な画質を確保することができる。
【００１３】
さらに請求項４及び請求項１８に示すとおり、前記補正手段は、前記疑似読取テストで取得した読取データに基づいて前記画処理手段の処理条件を補正する構成とすることができる。
【００１４】
また請求項５及び請求項１９に示すとおり、前記補正手段は、前記疑似読取テストで取得した読取データに基づいて前記光源制御手段の制御条件を補正する構成とすることができる。
【００１５】
さらに請求項６及び請求項２０に示すとおり、前記光源は、各原色ごとの光源により構成され、前記光源制御手段は、前記疑似読取テストにおいて、テストパターンが有する画像特性に対応したテスト用の動作条件で前記各原色ごとの光源を制御する構成とすることができる。これによると、各原色ごとの光源の切り替え動作により原色ごとの画信号を取得する構成において、実際のテストパターンの読み取りに相当する読取データを取得することができる。
【００１６】
さらに請求項７及び請求項２１に示すとおり、前記光源制御手段は、前記疑似読取テストにおいて、前記光源の点灯時間による光量制御を行う構成とすることができる。
【００１７】
また請求項８及び請求項２２に示すとおり、前記光源制御手段は、前記疑似読取テストにおいて、前記光源の印加電圧による光量制御を行う構成とすることができる。
【００１８】
さらに請求項９及び請求項２３に示すとおり、前記光源の印加電圧と光量との相関関係に関する情報を格納する記憶手段を有し、前記光源制御手段は、前記記憶手段の情報を参照して光量制御を行う構成とすることができる。これによると、精度良く光量を制御することができる。
【００１９】
さらに請求項１０及び請求項２４に示すとおり、前記光源制御手段は、前記疑似読取テストにおいて、前記各原色ごとの光源の点灯・消灯を制御し、これにより前記画処理手段がテストパターンの基準色に対応した色調の有彩色読取データを生成する構成とすることができる。これによると、テストパターンの基準色に対応した色調の有彩色読取データを取得することができるため、色補正が可能になる。この場合、テストパターンの基準色の明度に応じてさらに点灯時の光量を増減する構成としても良い。
【００２０】
さらに請求項１１及び請求項２５に示すとおり、前記光源制御手段は、前記疑似読取テストにおいて、前記各原色ごとの光源の光量を相互の均一性を保ちながら増減制御し、これにより前記画処理手段がテストパターンの基準階調に対応した階調の無彩色読取データを生成する構成とすることができる。これによると、テストパターンの基準階調に対応した階調の無彩色読取データを取得することができるため、階調（ガンマ）補正が可能になる。
【００２１】
さらに請求項１２及び請求項２６に示すとおり、前記光源は、白色光源により構成され、前記センサは、各原色ごとのセンサにより構成され、前記画処理手段は、前記疑似読取テストにおいて、テストパターンが有する画像特性に対応したテスト用の動作条件で前記各原色ごとのセンサの出力信号を処理する構成とすることができる。これによると、白色光源と各原色ごとのセンサとの組み合わせにより色別の画信号を得る構成において、実際のテストパターンの読み取りに相当する読取データを取得することができる。この場合、画処理手段におけるゲイン調整手段をテスト用の動作条件に設定して、疑似読取テストを行う構成とすると良い。
【００２２】
さらに請求項１３及び請求項２７に示すとおり、前記画処理手段は、前記疑似読取テストにおいて、前記各原色ごとのセンサの出力信号を色別に調整することにより、テストパターンの基準色に対応した色調の有彩色読取データを生成する構成とすることができる。これによると、テストパターンの基準色に対応した色調の有彩色読取データを取得することができるため、色補正が可能になる。この場合、テストパターンの基準色に応じてさらに出力信号の調整量を増減する構成とすることも可能である。
【００２３】
さらに請求項１４及び請求項２８に示すとおり、前記画処理手段は、前記疑似読取テストにおいて、前記各原色ごとのセンサの出力信号相互の均一性を保ちながらその調整量を増減することにより、テストパターンの基準階調に対応した階調の無彩色読取データを生成する構成とすることができる。これによると、テストパターンの基準階調に対応した階調の無彩色読取データを取得することができるため、階調（ガンマ）補正が可能になる。
【００２４】
また本発明においては、請求項２９に示すとおり、読取面を照明する各原色ごとの光源と、この光源を制御する光源制御手段と、読取面の画情報を読み取るセンサと、このセンサの出力信号を処理して画データを生成する画処理手段とを備えた読取装置において、テストパターンが有する画像特性に対応したテスト用の動作条件で前記各原色ごとの光源を制御するように前記光源制御手段を設定した上で、白基準板を読み取る疑似読取テストを実行して、実際のテストパターンの読み取りに相当する読取データを前記画処理手段で生成させ、これにより取得した読取データに基づいて補正を行う構成とすることができる。
【００２５】
これによると、実際のテストパターンの読み取りが不要になるため、テストパターンを印字出力して読み取りを行う手間を省くことができ、またプリンタの出力サイズの制約から予め作成したテストパターンシートを常備しておく必要もなくなるため、色及び階調の補正にかかる処理の効率化を図ることができる。
【００２６】
また本発明においては、請求項３０に示すとおり、読取面を照明する光源と、この光源を制御する光源制御手段と、読取面の画情報を読み取る各原色ごとのセンサと、このセンサの出力信号を処理して画データを生成する画処理手段とを備えた読取装置において、テストパターンが有する画像特性に対応したテスト用の動作条件で前記各原色ごとのセンサの出力信号を処理するように前記画処理手段を設定した上で、白基準板を読み取る疑似読取テストを実行して、実際のテストパターンの読み取りに相当する読取データを前記画処理手段で生成させ、これにより取得した読取データに基づいて補正を行う構成とすることができる。
【００２７】
これによると、実際のテストパターンの読み取りが不要になるため、テストパターンを印字出力して読み取りを行う手間を省くことができ、またプリンタの出力サイズの制約から予め作成したテストパターンシートを常備しておく必要もなくなるため、色及び階調の補正にかかる処理の効率化を図ることができる。この場合、画処理手段におけるゲイン調整手段をテスト用の動作条件に設定して疑似読取テストを行う構成とすると良い。
【００２８】
【発明の実施の形態】
以下に添付の図面を参照して本発明の実施の形態について詳細に説明する。
【００２９】
図１は、本発明によるカラー電子黒板の第１の実施形態の概略構成を示すブロック図である。このカラー電子黒板は、読取面を照明する光源１及び読取面の画情報を読み取るラインセンサ２を備え、光源１がＲＧＢの各原色ごとの光源１ａ〜１ｃにより構成され、このＲＧＢの各光源１ａ〜１ｃを切替え動作させてＲＧＢ別の画信号を生成する、いわゆるＲＧＢ光源切替方式によるものである。
【００３０】
図２は、図１に示したカラー電子黒板の外観を示す斜視図である。このカラー電子黒板は、マーカーによる書き込みなどからなる黒板面１１ａ上の画像を読み取るために、図１に示した光源１及びラインセンサ２を保持した読取ユニット１２が黒板面１１ａに沿って走行する構成となっており、光源１が黒板面１１ａに光を照射し、その反射光をラインセンサ２で受光することで黒板面１１ａ上の画像が読み取られる。
【００３１】
読取ユニット１２は、黒板１１を支持する架台１３の上端に設けられたレール１４上を走行する台車部１５から吊り下げられた状態で支持され、台車部１５に内蔵された走行モータで左右方向に自走し、読み取り時には黒板１１の側方で待避した初期位置（図中に符号Ｓを付して想像線で示す位置）から走行を開始し、黒板１１の逆側の位置（図中に符号Ｅを付して想像線で示す位置）まで走行して黒板面１１ａ全面の読み取りを終了する。ここで、符号Ｅの位置を初期位置として符号Ｓの位置まで、読取ユニット１２を走行させることもできる。黒板１１の下方にはユーザインタフェイスユニット（操作パネル）１４と、読み取った画像を出力するプリンタユニット１７とが設けられている。
【００３２】
架台１３の側枠部１８の前面には、白基準板１９が、読取ユニット１２の初期位置（図中の符号Ｓ、符号Ｅで示す位置）に対応して設けられている。
【００３３】
図３は、図１に示したカラー電子黒板の全体構成を示すブロック図である。読取りユニット１２は、モータ駆動部２１により駆動される走行モータ２２で動作し、光源１は光源制御部２３により制御される。またラインセンサ２は、ラインセンサ制御部２４により制御される。ラインセンサ２は、４本のセンサエレメント３からなり、これらは互いに同一の画素数を有し、かつ主走査方向に直列に並べられており、セレクタ２５により各センサエレメント３からの画素信号が選択的に（順番に）出力される。セレクタ２５からの出力信号は、Ａ／Ｄ変換部２６を介してラインメモリ２７に一旦入力された後、画像処理部２８で所要の処理が行われる。
【００３４】
プリンタユニット１７は、Ａ４サイズに対応する読取幅を有する１本のセンサエレメント３と同等の出力幅と解像度とを有し、Ａ４サイズの記録紙への出力が解像度変更を行うことなく可能となっている。
【００３５】
画処理部２８で生成した画データは、全体制御ユニット３１を介してプリンタユニット１７に送られ、ここで所定の記録紙に印字される。全体制御ユニット３１は、プリンタユニット１７及び読取りユニット１２の動作を制御するものであり、ＣＰＵ（制御手段）３２と、ここでの制御に要する情報を格納するメモリ３３とを有している。またここでは、画像処理部２８で生成した画データをＰＣに取り込むためのＰＣインタフェイス３５が設けられている。
【００３６】
このような構成を有する本カラー電子黒板においては、色及び階調補正のためのテストパターンが有する色及び階調に関する特性（画像特性）に対応して予め設定されたテスト用の動作条件に従って白基準板１９を読み取る疑似読取テストにより、実際のテストパターンの読み取りに相当する読取データを画処理部２８で生成させるようになっている。
【００３７】
特にここでは、図１に示したように、光源１がＲＧＢの各原色ごとの光源１ａ〜１ｃからなるＲＧＢ光源切替方式が採用され、疑似読取テストにおいては、テストパターンが有する色及び階調に関する特性に対応して、光源制御部２３が、ＲＧＢの各光源１ａ〜１ｃの光量を制御するようになっている。この疑似読取テストで取得した読取データの処理、並びに疑似読取テストでの光源制御に要するデータの生成などの処理は、ＣＰＵ３２からの指示に応じて補正部（補正手段）３７で行われる。
【００３８】
補正部３７には、テストパターンの基準色及び基準階調に対応する画データからなる基準データを保持するメモリ（基準データ保持手段）４１と、このメモリ４１の基準データに基づいて、疑似読取テストでの光源制御部２３の動作条件に関する設定情報（テストデータ）を生成するテストデータ生成部４２が設けられている。メモリ４１では、適切な画データを取得可能に調整された状態で疑似読取テストを実行して取得した画データが基準データとして予め保持されている。
【００３９】
さらに補正部３７には、疑似読取テストで取得した読取データに基づいて補正データを生成する補正データ生成部４３と、この補正データ生成部４３で生成した補正データに基づいて通常読取時の動作条件を設定する設定部４４とが設けられている。補正データ生成部４３では、疑似読取テストで取得した読取データとメモリ４１に予め保持された基準データとの比較により補正データを生成する。
【００４０】
設定部４４による動作条件の補正は、必要に応じて画処理部２８並びに光源制御部２３のいずれか一方あるいは双方を対象に行われる。光源制御部２３の動作条件の補正では、例えばＲＧＢの各光源１ａ〜１ｃごとの点灯タイミングをレジスタに設定する処理が行われ、また画処理部２８の動作条件の補正では、例えばＲＧＢの各信号ごとのゲイン調整量をレジスタに設定する処理が行われる。なお、これらの補正に加えてプリンタユニット１７の画像形成条件を補正する構成も可能である。
【００４１】
疑似読取テストでは、まず、メモリ４１の基準データに基づいて光源制御に要するテストデータをテストデータ生成部４２にて生成し、次にテストデータに基づいて光源１を制御して白基準板１９を読み取る疑似読取処理が行われ、これにより画処理部２８で疑似読取データが生成される。そして補正データ生成部４３にて、疑似読取データと基準データとの比較により補正データを生成し、この補正データに基づいて設定部４４にて光源制御部２３や画処理部２８の動作条件を補正設定する処理が行われる。
【００４２】
また、疑似読取処理により画処理部２８で生成した疑似読取データに基づいてプリンタユニット１７にてテストパターンを印字してテストパターンシートを得た後、これを読み取る実読取処理を行い、これにより画処理部２８で生成した実読取データを、補正データ生成部４３にて基準データと比較して補正データを生成するようにしても良い。これによると、プリンタユニット１７の画質調整も併せて行うことができる。
【００４３】
図４は、図１に示した補正部での疑似読取テストの元になるテストパターンを示している。ここでは、色補正のためのカラーテストパターンとして、Ｒ（赤）、Ｇ（緑）、Ｂ（青）及びＹ（イエロー）、Ｃ（シアン）、Ｍ（マゼンタ）の各テストパターンが印字され、また階調（ガンマ）補正のためのモノクロテストパターンとして、白及び黒と、明度を段階的に低くしたグレー１、グレー２、グレー３、グレー４の各テストパターンが印字される。モノクロテストパターンでは、例えば白が明度１００％、グレー１が明度８０％、グレー２が明度６０％、グレー３が明度４０％、グレー４が明度２０％、黒が明度０％とする。プリンタユニットで出力されるテストパターンもこれと同様である。
【００４４】
図５は、図１に示したＲＧＢ光源切替方式において色補正データ取得のための疑似読取テストでの光量制御の状況を示すタイミング図である。色調補正のための疑似読取テストでは、光源制御部２３がＲＧＢの各原色ごとの光源１ａ〜１ｃの点灯・消灯を制御し、これにより画処理部２８ではテストパターンの基準色に対応した色調の有彩色画データを生成する。
【００４５】
ここでは、ＲＧＢ及びＹＣＭの各色を基準色として疑似読取テストが行われ、ＲＧＢ及びＹＣＭの各色ごとの画データを取得する。ＲＧＢの各色のパターンでは、蓄積時間中にＲＧＢの各光源１ａ〜１ｃのいずれか１つを点灯することで、単色によるＲＧＢの各出力が得られる。他方、ＹＣＭの各色のパターンでは、蓄積時間中にＲＧＢの各光源１ａ〜１ｃを一対ずつ組み合わせて同時点灯することで、２次色によるＹＣＭの各出力が得られる。
【００４６】
ラインセンサ２においては、所定の蓄積時間をおいてスタートパルスが入力され、このパルスをトリガとして受光を終了して出力を開始し、また次の受光を開始する。ここでは精度を上げるために各テストパターンごとに１００ライン分の読み取りが行われる。
【００４７】
なおここでは、ＲＧＢの各光源１ａ〜１ｃの点灯時の光量（点灯時間）が一定であるが、基準色の明度に応じて点灯時の光量を増減することも可能である。
【００４８】
図６は、図１に示したＲＧＢ光源切替方式における階調補正データ取得のための疑似読取テストでの光量制御の状況を示すタイミング図である。疑似読取テストにでは、光源制御部２３が各原色ごとの光源１ａ〜１ｃの光量を相互の均一性を保ちながら増減し、これにより画処理部２８ではテストパターンの基準階調に対応した階調の無彩色画データを生成する。
【００４９】
ここでは、白及び黒と、白から黒に向けて明度を段階的に低くしたグレー１、グレー２、グレー３、グレー４を基準階調として疑似読取テストが行われ、白及び黒とグレー１からグレー４までの各階調ごとの画データを取得する。白パターンでは、ＲＧＢの各光源１ａ〜１ｃを全て点灯させることによりＲＧＢの混色による白出力が得られる。グレー１、グレー２、グレー３、グレー４の各パターンでは、明度に対応する比率で光量を段階的に小さくすることにより、対応する明度のグレー１、グレー２、グレー３、グレー４の各出力が得られる。黒パターンでは、ＲＧＢの各光源１ａ〜１ｃを全て消灯させることにより黒出力が得られる。
【００５０】
またここでは、光源１ａ〜１ｃの光量が点灯時間で制御される。例えば、白出力時の点灯時間に対してグレー１で８０％、グレー２で６０％、グレー３で４０％、グレー４で２０％というように、明度に応じてＲＧＢの各光源１ａ〜１ｃの点灯時間を段階的に短くする。
【００５１】
なおここでは、無彩色での階調に関するデータを取得するため、各原色ごとの光源１ａ〜１ｃの光量の均一化したが、光源１ａ〜１ｃのうちの一部を点灯させてその光量を増減することにより、有彩色での階調に関するデータを取得することが可能である。
【００５２】
図７は、図１に示したＲＧＢ光源切替方式における補正データ取得の手順を示すフロー図である。まずステップ１０１にてホワイトバランス調整が行われる。ここでは白基準板１９を読み取り、ＲＧＢの各色ごとの光源１ａ〜１ｃの光量が調整される。次にステップ１０２にて疑似読取処理が図５・図６に示した要領で色補正及び階調（ガンマ）補正に関するテストパターンごとに行われ、テストパターンごとの読取データを取得する。そしてステップ１０３にて全てのテストパターンが終了したものと判定されると、ステップ１０４に進んで読取データと基準データとの比較により補正データを生成する処理が行われる。
【００５３】
図８は、図１に示したＲＧＢ光源切替方式における補正データ取得の手順の他の例を示すフロー図である。ここでは、前記図７に示した手順と同様にステップ２０１にてホワイトバランス調整が行われ、つづくステップ２０２・２０３にて疑似読取処理がテストパターンごとに行われた後、ステップ２０４にて疑似読取処理の読取データに基づいてプリンタユニット１７にてテストパターンをシートに印字する処理が行われる。そしてステップ１０５にてテストパターンシートを黒板面１１ａに貼り付けてテストパターンを読み取る処理が行われ、つづくステップ１０６にて読取データと基準データとの比較により補正データを生成する処理が行われる。
【００５４】
図９は、図１に示したＲＧＢ光源切替方式における階調補正データ取得のための疑似読取テストでの光量制御の他の例を示すタイミング図である。前記図６に示した例と同様に、階調補正のための疑似読取テストにおいて、白及び黒と、白から黒に向けて明度を段階的に低くしたグレー１、グレー２、グレー３、グレー４を基準階調としているが、ここでは、ＲＧＢの各光源１ａ〜１ｃの光量が、光源１ａ〜１ｃに印加する電圧で制御される。すなわち、明度に応じてＲＧＢの各光源１ａ〜１ｃに印加する電圧を段階的に低くする、例えば白出力時に対応する基準電圧に対する比率が８０％、６０％、４０％、２０％となるように段階的に低くすることで、白及び黒とグレー１からグレー４までの各階調に対応した出力が得られる。
【００５５】
図１０は、図９に示した光量制御における光源印加電圧と光量との相関関係を示している。光源（ＬＥＤ）の電圧特性は下に凸となる曲線を描き、所定の光量を得るために印加電圧を補正する補正カーブは上に凸なる曲線を描き、このような印加電圧と光量との相関関係に関する情報が、１次元ルックアップテーブルとしてメモリ（記憶手段）４１に格納され、これを参照して光量が制御される。
【００５６】
図１１は、本発明によるカラー電子黒板の第２の実施形態の概略構成を示すブロック図である。ここでは、光源５１が白色光源により構成され、ラインセンサ５２がＲＧＢの各原色ごとのラインセンサ５２ａ〜５２ｃにより構成され、このＲＧＢの各原色ごとのラインセンサ５２ａ〜５２ｃがＲＧＢ別の画信号を生成する、いわゆる白色光源／ＲＧＢセンサ方式によるものである。
【００５７】
ここでは、疑似読取テストにおいて、画処理部２８が、テストパターンの基準色及び基準階調に対応したテスト用の動作条件で各原色ごとのラインセンサ５２ａ〜５２ｃの出力信号に対する処理を行うようになっている。特にここでは、画処理部２８内のＲＧＢゲイン調整部５４が、テスト用の動作条件に設定されてテストパターンの基準色及び基準階調に対応したゲイン調整を行う。
【００５８】
図１２は、図１１に示した白色光源／ＲＧＢセンサ方式における色補正データ取得のための疑似読取テストでのゲイン調整の状況を示すタイミング図である。ここでは、白色光源５１の点灯による白基準板１９の読取によりＲＧＢの各ラインセンサ５２ａ〜５２ｃから出力されるＲＧＢ別の出力信号に対して、画処理部２８内のゲイン調整部５４がＲＧＢ別の調整を行うことにより、テストパターンの基準色に対応した色調の有彩色画データを生成するようになっている。
【００５９】
ＲＧＢの各色のパターンでは、ＲＧＢの各信号のうちの該当色の信号に対して白出力時に対応する基準ゲインで調整を行い、その他の色の信号は黒相当の最低レベルに調整され、これにより単色によるＲＧＢの各出力が得られる。他方、ＹＣＭの各色のパターンでは、ＹＣＭに対応する組み合わせの色の信号に対して白出力時と同じゲイン調整を行い、その他の色の信号は黒相当の最低レベルに調整され、これにより２次色によるＹＣＭの各出力が得られる。
【００６０】
図１３は、図１１に示した白色光源／ＲＧＢセンサ方式における階調補正データ取得のための疑似読取テストでのゲイン調整の状況を示すタイミング図である。ここでは、画処理部２８内のゲイン調整部５４が、各原色ごとのラインセンサ５２ａ〜５２ｃの出力信号相互の均一性を保ちながらその調整量を増減することにより、テストパターンの基準階調に対応した階調の無彩色画データを生成するようになっている。
【００６１】
白パターンでは、ＲＧＢの各ラインセンサ５２ａ〜５２ｃの出力を全て、基準ゲインで調整することにより、ＲＧＢの混色による白出力が得られる。グレー１、グレー２、グレー３、グレー４の各パターンでは、明度に対応する比率でゲインを段階的に小さくする、例えば白出力時に対応する基準ゲインに対して８０％、６０％、４０％、２０％とすることにより、対応する明度のグレー１、グレー２、グレー３、グレー４の各出力が得られる。黒パターンでは、ＲＧＢの各ラインセンサ５２ａ〜５２ｃの出力を全て最低のゲインで調整することにより黒出力が得られる。
【００６２】
この白色光源／ＲＧＢセンサ方式による構成では、図７に示したＲＧＢ光源切替方式でのフローと同様の手順で疑似読取テストを行えば良いが、ここではステップ１０１でのホワイトバランス調整において、ＲＧＢの各色ごとの画信号に対するゲイン調整量が設定され、ステップ１０２での疑似読取テストにおいて、ＲＧＢの各色ごとの画信号のゲイン調整がテスト用の動作条件に従って行われる。
【００６３】
【発明の効果】
このように本発明によれば、実際のテストパターンの読み取りが不要になるため、テストパターンを印字出力して読み取りを行う手間を省くことができ、またプリンタの出力サイズの制約から予め作成したテストパターンシートを常備しておく必要もなくなるため、色及び階調の補正にかかる処理の効率化を図る上で大きな効果が得られる。
【図面の簡単な説明】
【図１】本発明によるカラー電子黒板の第１の実施形態の概略構成を示すブロック図
【図２】図１に示したカラー電子黒板の外観を示す斜視図
【図３】図１に示したカラー電子黒板の全体構成を示すブロック図
【図４】図１に示した補正部での疑似読取テストの元になるテストパターンを示す図
【図５】図１に示したＲＧＢ光源切替方式における色補正データ取得のための疑似読取テストでの光量制御の状況を示すタイミング図
【図６】図１に示したＲＧＢ光源切替方式における階調補正データ取得のための疑似読取テストでの光量制御の状況を示すタイミング図
【図７】図１に示したＲＧＢ光源切替方式における補正データ取得の手順を示すフロー図
【図８】図１に示したＲＧＢ光源切替方式における補正データ取得の手順の他の例を示すフロー図
【図９】図１に示したＲＧＢ光源切替方式における階調補正データ取得のための疑似読取テストでの光量制御の他の例を示すタイミング図
【図１０】図９に示した光量制御における光源印加電圧と光量との相関関係を示す図
【図１１】本発明によるカラー電子黒板の第２の実施形態の概略構成を示すブロック図
【図１２】図１１に示した白色光源／ＲＧＢセンサ方式における色補正データ取得のための疑似読取テストでのゲイン調整の状況を示すタイミング図
【図１３】図１１に示した白色光源／ＲＧＢセンサ方式における階調補正データ取得のための疑似読取テストでのゲイン調整の状況を示すタイミング図
【符号の説明】
１  光源
１ａ〜１ｃ  原色別光源
２  ラインセンサ
１２  読取ユニット
１７  プリンタユニット
１９  白基準板
２３  光源制御部
２８  画処理部
３１  全体制御ユニット
３２  ＣＰＵ（制御手段）
３７  補正部（補正手段）
４１  メモリ（基準データ保持手段）
４２  テストデータ生成部
４３  補正データ生成部
４４  設定部
５１  光源
５２  ラインセンサ
５２ａ〜５２ｃ  原色別ラインセンサ
５４  ゲイン調整部
【図１】
2004349794.tif 000003
【図２】
2004349794.tif 000004
【図３】
2004349794.tif 000005
【図４】
2004349794.tif 000006
【図５】
2004349794.tif 000007
【図６】
2004349794.tif 000008
【図７】
2004349794.tif 000009
【図８】
2004349794.tif 000010
【図９】
2004349794.tif 000011
【図１０】
2004349794.tif 000012
【図１１】
2004349794.tif 000013
【図１２】
2004349794.tif 000014
【図１３】
2004349794.tif 000015